(57)【特許請求の範囲】
【請求項１】
冗長構成の回線により接続されて相手伝送装置との間で信号の伝送を行う伝送装置に於いて、
前記冗長構成の回線を切替える多重化保護処理部と、
該多重化保護処理部に接続された冗長構成のタイムスロット交換部と、
該タイムスロット交換部の冗長系を切替えるユニット切替処理部と、
該ユニット切替処理部に接続されたチャネル部とを備え、
前記多重化保護処理部は、前記冗長構成の回線の切替制御を行うと共に、前記タイムスロット交換部のユニット切替要求を認識している場合に強制切替要求が入力された時に、相手伝送装置に前記強制切替要求を転送する構成を有する
ことを特徴とする伝送装置。
【請求項２】
冗長構成の回線により接続されて相手伝送装置との間で信号を伝送する伝送システムに於ける各伝送装置は、前記冗長構成の回線を切替える多重化保護処理部と、該多重化保護処理部に接続された冗長構成のタイムスロット交換部と、該タイムスロット交換部の冗長系を切替えるユニット切替処理部と、該ユニット切替処理部に接続されたチャネル部とを備え、前記多重化保護処理部の制御に基づいて、前記冗長構成の回線を切替える過程と、ユニット切替要求を認識している場合に強制切替要求が入力されると、相手伝送装置に強制切替要求を転送すると共に、前記冗長構成の回線を切替える過程とを含む
ことを特徴とする冗長構成切替方法。
【発明の詳細な説明】
【０００１】
【産業上の利用可能性】
本発明は、伝送装置及び冗長構成切替方法に関する。
ＳＤＨ（Ｓynchronous  Ｄigital  Ｈierarchy）伝送装置は、多重化単位を、１５５．５２ＭｂｐｓのＳＴＭ−１（Ｓynchronous  Ｔransfer Ｍodule Ｌevel  Ｏne）とし、その多重化単位をＮ倍したＳＴＭ−Ｎとして、Ｎを１，４，１６としたＳＴＭ−１，ＳＴＭ−４，ＳＴＭ−１６が標準化されている。又ＳＴＭ−１の１／３の５１．８４ＭｂｐｓのビットレートのＳＴＭ−０は、ＳＯＮＥＴ（Ｓynchronous  Ｏptical  Ｎetwork）のＯＣ−１に対応している。このようなＳＤＨ伝送装置は、各部がユニット化され且つ冗長構成であり、インサービス状態でグレードアップすることが要望されている。
【０００２】
【従来の技術】
図９はＳＤＨ伝送装置の説明図であり、５１Ａ−１，５１Ｂ−１は現用の送受信部、５１Ａ−２，５１Ｂ−２は予備の送受信部、５２Ａ，５２Ｂはユニット切替処理部、５３Ａ，５３ＢはＭＳＰ（Ｍｕｌｔｉｐｌｅｘ  Ｓｅｃｔｉｏｎ  Ｐｒｏｔｅｃｔｉｏｎ  ）処理部、５４Ａ，５４Ｂは伝送制御処理部、５５−１，５５−２は光伝送路である。
【０００３】
送受信部５１Ａ−１，５１Ａ−２，５１Ｂ−１，５１Ｂ−２は、それぞれ電気−光変換部を備えて、光信号により送受信するものである。例えば、ＳＴＭ−１フォーマットで送受信する場合、そのセクションオーバヘッドは、図１０に示すように９行×９列の構成であり、Ａ１，Ａ２はフレーム同期バイト、Ｃ１はＳＴＭ−１の識別バイト、Ｂ１は中継セクションの誤り監視バイト（ＢＩＰ−８）、Ｅ１は中継セクションのオーダーワイヤバイト、Ｆ１は中継セクションの故障特定バイト、Ｄ１〜Ｄ３は中継セクションのデータ通信バイト、Ｂ２はセクションの誤り監視バイト、Ｋ１，Ｋ２は自動切替（ＡＰＳ；Ａｕｔｏｍａｔｉｃ  Ｐｒｏｔｅｃｔｉｏｎ  Ｓｗｉｔｃｈ  ）用のバイト、Ｄ４〜Ｄ１２は多重セクションのデータ通信バイト、Ｚ１，Ｚ２は予備バイト、Ｅ２は多重セクションのオーバーワイヤバイトである。又ＡＵポインタは、多重化フレームの先頭位置を示し、又スタッフバイトとなるものである。
【０００４】
現用側の障害発生により、予備側に切替える場合、Ｋ１，Ｋ２バイトを用いて切替要求を送受信するものである。即ち、ＭＳＰ処理部５３Ａ，５３Ｂは、Ｋ１，Ｋ２バイトが切替要求を示す時、ユニット切替処理部５２Ａ，５２Ｂを制御して、実線位置から鎖線位置に切替えることにより、現用側のユニットから予備側のユニットに切替えることになる。
【０００５】
図１１は従来例のＭＳＰ処理部の動作フローチャートを示し、ＮＥとＦＥとは自局（ニアエンド）と対向局（フアエンド）とを示し、例えば、図９に於いて、符号Ａを付加した側をＮＥ、符号Ｂを付加した側をＦＥとすることができる。そして、ＮＥ切替要求及び切替要因の有無を判定する（Ｃ１）。ＮＥ側に於いて切替えを行う要因が有る場合、ＦＥに切替要求をＫ１，Ｋ２バイトによって送出し（Ｃ２）、ＮＥ側の回線を切替える（Ｃ３）。
【０００６】
又ＮＥ側に切替えを行う要因が無い場合、ＦＥ側からの切替要求の有無を判定し（Ｃ４）、切替要求があれば、ＮＥ側回線を切替え（Ｃ５）、ＦＥ側に回線の切替えを行ったことを応答する（Ｃ６）。
【０００７】
図１２は従来例のユニット切替処理部の動作フローチャートを示し、ＭＳＰ処理部からのユニット切替要求及び切替要因の有無を判定し（Ｄ１）、有りの場合は、例えば、図９に於いて、実線と鎖線で示すように、現用，予備のユニット切替えを行う（Ｄ２）。
【０００８】
ＳＴＭ−１のＳＤＨ伝送装置は、各部がユニット化されて単一のシェルフに搭載されており、ユニット交換によりＳＴＭ−４にグレードアップすることができる。図１３の（１）はＳＴＭ−１のＳＤＨ伝送装置の概要を示すもので、６１Ａ−１，６１Ｂ−１は現用の送受信部（ＳＴＭ１  ＷＫ）、６１Ａ−２，６１Ｂ−２は予備の送受信部（ＳＴＭ１  ＰＴ）、６２−１，６２−２は光伝送路、６３Ａ，６３ＢはＭＳＰ処理部（ＭＳＰ）（ＭＵＸ  ＳＥＣＴＩＯＮ  ＰＲＯＴＥＣＴＩＯＮ）、６４Ａ，６４Ｂはタイムスロット交換部（ＴＳＡ）、６５Ａ，６５Ｂはチャネル部（Ｄ１ＣＨ）、ＰＤＨ（Ｐｒｅｓｉｏｃｈｒｏｎｏｕｓ  Ｄｉｇｉｔａｌ  Ｈｉｅｒａｒｃｈｙ）は非同期ディジタルハイアラーキを示す。又各部はユニット化されている。又矢印は信号の伝送方向を示す。
【０００９】
以下、略号を用いてＳＴＭ−１からＳＴＭ−４へのグレードアップの為のユニット交換について説明する。先ず、図１３の（１）の状態から（２）に示すように、ＮＥ側の現用の送受信部ＳＴＭ１ＷＫのユニットを抜く。それにより、ＮＥ側とＦＥ側とのＭＳＰは現用側の障害発生と判断し、図１３の（１）のＭＳＰ内の点線の経路を、図１３の（２）に示す実線経路に切替えて、予備の送受信部ＳＴＭ１ＰＴ側に切替える。
【００１０】
次に、図１４の（３）に示すように、ＦＥ側の送受信部ＳＴＭ１ＷＫのユニットを抜く。この場合、既にＭＳＰによって予備側に切替えられているから、ＦＥ側の送受信部ＳＴＭ１ＷＫのユニットを抜いても他に影響を及ぼすことはない。次に、図１４の（４）に示すように、ＮＥ側の送受信部ＳＴＭ１ＷＫのユニットを抜いたスロットに、ＳＴＭ−４用の送受信部ＳＴＭ４ＷＫのユニットを挿入する。
【００１１】
次に、図１５の（５）に示すように、ＦＥ側の送受信部ＳＴＭ１ＷＫのユニットを抜いたスロットに、ＳＴＭ−４用の送受信部ＳＴＭ４ＷＫのユニットを挿入する。次に、図１５の（６）に示すように、ＮＥ側のＳＴＭ−１用の送受信部ＳＴＭ１ＰＴのユニットを抜く。それによって、ＮＥ側とＦＥ側とのＭＳＰは、予備側の障害発生と判断し、現用側の送受信部ＳＴＭ４ＷＫに切替える。この状態で、ＳＴＭ−４（６００Ｍｂｐｓ）として伝送できることになる。
【００１２】
次に、図１６の（７）に示すように、ＦＥ側の送受信部ＳＴＭ１ＰＴのユニットを抜き、次に、図１６の（８）に示すように、ＮＥ側のＳＴＭ−４用の送受信部ＳＴＭ４ＰＴのユニットを挿入する。
【００１３】
次に、図１７の（９）に示すように、ＦＥ側のＳＴＭ−４用の送受信部ＳＴＭ４ＰＴのユニットを挿入する。それによって、ＮＥ側とＦＥ側とは、ＳＴＭ−４用の現用，予備の送受信部ＳＴＭ４ＷＫ，ＳＴＭ４ＰＴによって接続された構成となり、図１３の（１）から図１７の（９）のユニット交換の過程によって、ＳＴＭ−１からＳＴＭ−４へ、インサービス状態でグレードアップを行うことができる。
【００１４】
又２．４ＧｂｐｓのビットレートのＳＴＭ−１６のＳＤＨ伝送装置は、２．４Ｇｂｐｓの光信号の送受信を行うＨＳシェルフと、非同期ディジタルハイアラーキＰＤＨに変換する最大４個のトリビュタリシェルフとから構成され、ＨＳシェルフとトリビュタリシェルフとの間は６００Ｍｂｐｓの電気信号で接続され、トリビュタリシェルフ側では、インタフェースユニットで収容する。このインタフェースユニットは、冗長構成を有し、正常か異常かを判定し、正常なインタフェースユニットに切替える処理を行うものである。
【００１５】
【発明が解決しようとする課題】
前述のＳＴＭ−１からＳＴＭ−４にグレードアップしたＳＤＨ伝送装置或いは最初から製作されたＳＴＭ−４（６００Ｍｂｐｓ）用のＳＤＨ伝送装置を、高伝送速度のＳＴＭ−１６（２．４Ｇｂｐｓ）用にグレードアップする場合、ＳＴＭ−１６用のＳＤＨ伝送装置は、前述のように、複数シェルフ構成となるものであり、例えば、図１８の（ａ）に示すように、ＮＥ側とＦＥ側とのＨＳシェルフは、ＳＴＭ−１６用の現用，予備の冗長構成の送受信部ＳＴＭ１６のユニットと、ＭＳＰ処理部のユニットと、冗長構成のインタフェース部ＩＮＦのユニットとから構成される。
【００１６】
又ＳＴＭ−４用のＳＤＨ伝送装置のＮＥ側とＦＥ側とのトリビュタリシェルフＴＲＩＢは、ＳＴＭ−４用の現用の送受信部ＳＴＭ４ＷＫと予備の送受信部ＳＴＭ４ＰＴとのユニットと、ＭＳＰ処理部のユニットと、冗長構成のクロスコネクト用のタイムスロット交換部ＴＳＡのユニットと、ユニット切替処理部ＵＮＩＴＳＷのユニットと、チャネル部Ｄ１ＣＨのユニットとを含み、現用と予備の光伝送路ＬＷＫ，ＬＰＴとを介してＮＥ側とＦＥ側とが接続されている。
【００１７】
図１８の（ａ）に示すように、ユニット切替処理部ＵＮＩＴＳＷとＭＳＰとが実線の経路に切替接続されている場合に、現用の光伝送路ＬＷＫを、ＳＴＭ−４用の送受信部ＳＴＭ４ＷＫからＳＴＭ−１６用の送受信部ＳＴＭ１６に、コネクタの差替え等によって、図１８の（ｂ）に示すように、接続替えする。その時、ＮＥ側とＦＥ側とのＭＳＰ処理部の制御によって現用側から予備側の送受信部ＳＴＭ４ＰＴに、点線経路から実線経路に切替えられる。従って、光伝送路ＬＰＴを介して伝送が継続され、回線断は生じない。
【００１８】
次に、冗長構成のタイムスロット交換部ＴＳＡの一方のユニットを、ＨＳシェルフに対するインタフェース部ＩＮＦのユニットと交換する。その時、ユニットを抜いたことを検出して冗長構成の切替えを行うから回線断は生じない。
【００１９】
次に、図１９の（ｃ）に示すように、ＮＥ側の残っているタイムスロット交換部ＴＳＡのユニットを抜くと、ユニット切替処理部ＵＮＩＴＳＷによって先に挿入されたインタフェース部ＩＮＦのユニット側に切替えられ、トリビュタリシェルフＴＲＩＢのインタフェース部ＩＮＦとＨＳシェルフのインタフェース部ＩＮＦとを介して、非同期ディジタルハイアラーキＰＤＨとＳＴＭ−１６用の送受信部ＳＴＭ１６と接続されることになる。
【００２０】
その時、ＦＥ側では、タイムスロット交換部ＴＳＡを抜かないので、ユニット切替処理部ＵＮＩＴＳＷは前の状態を維持している。従って、回線断の状態となる。又ＮＥ側のタイムスロット交換部ＴＳＡのユニットを抜く前に、ユニット切替処理部ＵＮＩＴＳＷにより、タイムスロット交換部ＴＳＡからインタフェース部ＩＮＦ側に切替えても、ＦＥ側のユニット切替処理部ＵＮＩＴＳＷは前の状態を維持しているから回線断となる。
【００２１】
そこで、ＮＥ側とＦＥ側との保守者が連絡をとりながら、同時にタイムスロット交換部ＴＳＡを抜くことにより、ユニット切替処理部ＵＮＩＴＳＷを動作させることが考えられる。しかし、その方法では、両保守者の作業のタイミングのずれが考えられ、インサービス・アップグレードで要求される５０ｍｓ程度の切替時間という制限を満足することができないものであった。
本発明は、簡単な構成により、ユニット切替えの同期化を図り、インサービス状態に於いてグレードアップを可能とすることを目的とする。
【００２２】
【課題を解決するための手段】
本発明は伝送装置及び冗長構成切替方法であって、ＳＴＭ−４〜ＳＴＭ−１６へのグレードアップ後のＳＤＨ伝送装置を例とした構成を示す図１を参照して説明すると、冗長構成の回線７−１，７−２により接続されて相手伝送装置との間で信号の伝送を行う伝送装置であって、前記冗長構成の回線７−１，７−２（冗長構成の送受信部（ＳＴＭ４Ｗ，ＳＴＭ４Ｐ）１−１，１−２）を切替える多重化保護処理部（ＭＳＰ）２と、この多重化保護処理部２に接続された冗長構成のタイムスロット交換部（ＴＳＡ）３（なお、ＩＮＦはユニット交換を行った後のインタフェース部のユニットを示す）と、このタイムスロット交換部３の冗長系を切替えるユニット切替処理部（ＵＮＩＴＳＷ）４と、このユニット切替処理部４に接続されたチャネル部（Ｄ１ＣＨ）５とを備え、多重化保護処理部２は、冗長構成の回線の切替制御を行うと共に、タイムスロット交換部３のユニット切替要求を認識している場合に強制切替要求が入力された時に、相手伝送装置に前記強制切替要求を転送する構成を有するものである。なお、信号線６は、多重化保護処理部２からユニット切替処理部４にユニット切替情報を転送する為のものである。
【００２３】
又冗長構成の送受信部１−１，１−２と、多重化保護処理部２と、冗長構成のタイムスロット交換部３と、ユニット切替処理部４と、チャネル部５とを少なくとも備え、且つユニット化したＳＤＨ伝送装置のグレードアップの為のユニット交換方法に於いて、多重化保護処理部２とユニット切替処理部４とに、それぞれユニット切替情報をセットするレジスタを設け、且つ多重化保護処理部２からユニット切替処理部４にユニット切替情報を転送する信号線６を設け、自ＳＤＨ伝送装置と相手ＳＤＨ伝送装置との前記多重化保護処理部２にユニット切替要求を行い、そのユニット切替要求によるユニット切替情報を多重化保護処理部２のレジスタにセットし、ユニット交換過程に於いて、自ＳＤＨ伝送装置と相手ＳＤＨ伝送装置との何れか一方から強制切替要求を他方へ転送すると共に、この強制切替要求によって多重化保護処理部２から信号線６を介してユニット切替処理部４にユニット切替情報を転送してユニット切替えを行う過程を含むものである。
【００２４】
又単一のシェルフ構成のＳＤＨ伝送装置から複数シェルフ構成の高伝送速度のＳＤＨ伝送装置にグレードアップする為のユニット交換方法に於いて、低伝送速度のＳＤＨ伝送装置の現用の送受信部１−１間の光伝送路７−１を高伝送速度の現用の送受信部１１−１に接続替えした後、ユニットの交換を行うものである。
【００２５】
又単一のシェルフ構成のＳＤＨ伝送装置から複数シェルフ構成の高伝送速度のＳＤＨ伝送装置にグレードアップする為のユニット交換方法に於いて、低伝送速度のＳＤＨ伝送装置の冗長構成の残りのタイムスロット交換部３のユニットをインタフェース部（ＩＮＦ）のユニットに交換する前に、多重化保護処理部２にユニット切替要求を行うものである。
【００２６】
【作用】
ＳＴＭ−４のＳＤＨ伝送装置は、現用の送受信部（ＳＴＭ４Ｗ）１−１と、予備の送受信部（ＳＴＭ４Ｐ）１−２と、多重化保護処理部（ＭＳＰ）２と、冗長構成のタイムスロット交換部（ＴＳＡ）３と、ユニット切替処理部（ＵＮＩＴＳＷ）４と、チャネル部（Ｄ１ＣＨ）５とを少なくとも備え、且つそれぞれユニット化されている。そして、多重化保護処理部２とユニット切替処理部３とにレジスタを設ける。保守者等からのユニット切替要求が多重化保護処理部２に加えられると、多重化保護処理部２のレジスタにユニット切替情報をセットし、信号線６を介してユニット切替処理部３のレジスタに転送する。それによって、ユニット切替処理部３は、ユニットの切替えを行う。又タイムスロット交換部３は、グレードアップの為のユニット交換により、インタフェース部（ＩＮＦ）となる。又７−１，７−２は光伝送路、１１−１，１１−２は高伝送速度側の現用，予備の送受信部（ＳＴＭ１６Ｗ，ＳＴＭ１６Ｐ）、１２は多重化保護処理部（ＭＳＰ）、１３は冗長構成のインタフェース部（ＩＮＦ）である。
【００２７】
又グレードアップの為のユニット交換方法に於いて、ユニット交換に基づいてユニット切替えを行う場合、予め、自ＳＤＨ伝送装置と相手ＳＤＨ伝送装置との多重化保護処理部２にユニット切替要求を行う。このユニット切替要求により自ＳＤＨ伝送装置と相手ＳＤＨ伝送装置との多重化保護処理部２のレジスタにユニット切替情報をセットする。ユニット交換過程に於いて、ユニット切替えが必要となった時に、何れか一方、例えば、ユニット交換を先行して行う側のＳＤＨ伝送装置の多重化保護処理部２に強制切替要求を行う。この強制切替要求を他方のＳＤＨ伝送装置の多重化保護処理部２に転送する。そして、多重化保護処理部２は、回線切替え等を行うと共に、レジスタにセットされたユニット切替情報を信号線６を介してユニット切替処理部４に転送する。ユニット切替処理部４は、転送されたユニット切替情報をレジスタにセットして、ユニットの切替処理を実行する。
【００２８】
又現用の送受信部１−１間の光伝送路７−１を高伝送速度側の現用の送受信部１１−１に接続替えした後、ユニット交換を開始する。それにより、予備の送受信部１１−２が残っているから、自ＳＤＨ伝送装置から相手ＳＤＨ伝送装置にユニット切替要求を送出することができる。そして、ユニット切替えを行うと、予備側から現用側に切替えられるから、高伝送速度側の現用の送受信部１１−１と光伝送路７−１とを介して伝送が可能となり、回線断は生じない。
【００２９】
又低伝送速度のＳＤＨ伝送装置の冗長構成の残りのタイムスロット交換部３のユニットをインタフェース部（ＩＮＦ）のユニットに交換する前に、多重化保護処理部２にユニット切替要求を行い、それによって、ユニット切替処理部４は、先に交換したインタフェース部（ＩＮＦ）側に切替えるから、残りのタイムスロット交換部（ＴＳＡ）のユニットを抜いても、他に影響を及ぼさないことになり、回線断を生じることなく、ユニット交換によってグレードアップすることができる。
【００３０】
【実施例】
図２は本発明の実施例の要部説明図であり、２１はコマンド通知部、２２はＭＳＰ処理部、２３はユニット切替処理部、２４，２５はレジスタ、２６は信号線である。コマンド通知部２１は、図示を省略している保守者等が操作するコンソール等から入力したコマンドを各部に通知する機能を有するものである。
【００３１】
又ＳＴＭ−４のＳＤＨ伝送装置は、例えば、図１に示すように、ＳＴＭ−４用の現用の送受信部（ＳＴＭ４Ｗ）１−１と、予備の送受信部（ＳＴＭ４Ｐ）１−２と、多重化保護処理部（ＭＳＰ）２と、冗長構成のタイムスロット交換部３と、ユニット切替処理部４と、チャネル部５とをそれぞれユニット化し、又多重化保護処理部２とユニット切替処理部４との間の信号線６を設け、且つ多重化保護処理部２とユニット切替処理部４とに、ユニット切替情報をセットするレジスタを設ける。このレジスタは、図２に於いては、２４，２５として示しており、図１の多重化保護処理部２は、図２のＭＳＰ処理部２２に対応し、図１のユニット切替処理部４は、図２のユニット切替処理部２３に対応する。
【００３２】
図３は本発明の実施例のＭＳＰ処理部の動作フローチャートであり、ユニット切替要求の有無を判定する（Ａ１）。このユニット切替要求は、ＮＥ（ニアエンド）（自ＳＤＨ伝送装置）側に於いてＭＳＰ処理部に対して行うと共に、ＦＥ（フアエンド）（相手ＳＤＨ伝送装置）側へ現用の光伝送路を介して転送することになる。そして、ユニット切替要求有りの場合はフラグＡを“１”とする（Ａ２）。即ち、コマンド通知部２１からユニット切替要求により、レジスタ２４にフラグＡ＝“１”としてユニット切替情報をセットする。又コマンド通知部２１からのユニット切替終了要求の有無を判定し（Ａ３）、ユニット切替終了要求有りの場合は、フラグＡを“０”とする（Ａ４）。
【００３３】
次に、ＮＥ（ニアエンド）（自ＳＤＨ伝送装置）の切替要求及び切替要因の有無を判定する（Ａ５）。即ち、ユニット交換過程に於ける強制切替要求や障害検出等による切替要因の有無を判定する。有りの場合は、ＦＥ（フアエンド）（相手ＳＤＨ伝送装置）に切替要求を送出し（Ａ６）、ＮＥ側回線を切替え、即ち、現用，予備の切替えを行う（Ａ７）。そして、フラグＡが“１”か否かを判定し（Ａ８）、“１”の場合はユニット切替処理部２３に通知する。即ち、コマンド通知部２１からＭＳＰ処理部２２にユニット切替要求が加えられると、レジスタ２４にフラグＡが“１”としてセットされ、ユニット交換過程に於いて強制切替要求が発生すると、相手ＳＤＨ伝送装置に対して強制切替要求が送出され、又ユニット切替処理部２３にユニット切替情報が信号線２６を介して転送され、レジスタ２５にセットされ、ユニット切替処理部２３はユニットの切替処理を実行する。
【００３４】
又相手ＳＤＨ伝送装置からの切替要求を受信した場合、、ステップ（Ａ１０）に於いてＦＥ切替要求有りとなるから、ＮＥ側回線を切替え、即ち、現用，予備の切替えを行い（Ａ１１）、切替要求を送出したＦＥ側に切替えを行ったことの応答を行う（Ａ１２）。そして、フラグＡが“１”か否かを判定し（Ａ１３）、“１”の場合は、先にユニット切替要求が行われた場合であるから、ユニット切替処理部２３に信号線を介してユニット切替情報を転送する（Ａ１４）。
【００３５】
図４は本発明の実施例のユニット切替処理部の動作フローチャートであり、ユニットの挿抜等による切替要求及び切替要因の有無を判定し（Ｂ１）、無い場合は、ＭＳＰからの切替要求の有無を判定し（Ｂ２）、切替要求及び切替要因有りの場合とＭＳＰからの切替要求有りの場合はユニットを切替える（Ｂ３）。即ち、冗長構成のタイムスロット交換部のユニットの一つを抜いた場合には、切替要因有りとなり、ユニット切替えが行われる。又ＭＳＰ処理部２２からユニット切替情報が信号線２６を介して転送されてレジスタ２５にセットされた場合は、ＭＳＰから切替要求有りとなり、ユニット切替えが行われる。
【００３６】
次に、ＳＴＭ−４からＳＴＭ−１６へのインサービス・グレードアップの為のユニット交換方法について説明する。図５の（Ａ）に於いて、ＳＴＭ−４のＳＤＨ伝送装置は、ＮＥ側とＦＥ側とは、光伝送路７−１，７−２により接続されており、ＮＥ側では、現用の送受信部（ＳＴＭ４Ｗ）１−１Ａと、予備の送受信部（ＳＴＭ４Ｐ）１−２Ａと、ＭＳＰ処理部（ＭＳＰ）２Ａと、冗長構成のタイムスロット交換部（ＴＳＡ）３−１Ａ，３−２Ａと、ユニット切替処理部（ＵＮＩＴＳＷ）４Ａと、チャネル部（Ｄ１ＣＨ）５Ａとを含み、それぞれユニット化されている。又ＦＥ側は、符号Ｂを付加して示している。又ＭＳＰ処理部２Ａ，２Ｂとユニット切替処理部４Ａ，４Ｂとにレジスタ（図示を省略）を設け、且つそれらの間に信号線６Ａ，６Ｂを設ける。
【００３７】
又ＳＴＭ−１６のＳＤＨ伝送装置を構成する為のＮＥ側のＨＳシェルフには、現用の送受信部（ＳＴＭ１６Ｗ）１１−１Ａと、予備の送受信部（ＳＴＭ１６Ｐ）１１−２Ａと、ＭＳＰ処理部（ＭＳＰ）１２Ａと、冗長構成のインタフェース部（ＩＮＦ）１３−１Ａ，１３−２Ａとが実装されている。ＦＥ側のＨＳシェルフも同様に、符号Ｂを付加して示している。
【００３９】
次に、図５の（Ｂ）に示すように、ＮＥ側のタイムスロット交換部（ＴＳＡ）３−１Ａのユニットを抜き、ＦＥ側のタイムスロット交換部（ＴＳＡ）３−１Ｂも抜く。この場合、ユニット切替処理部４Ａ，４Ｂは、タイムスロット交換部３−１Ａ，３−１Ｂのユニットを抜くことにより、自動的にタイムスロット交換部３−２Ａ，３−２Ｂのユニットに切替えることになる（図４のステップ（Ｂ１）参照）。この状態に於いても、現用の送受信部（ＳＴＭ４Ｗ）１−１Ａ，１−１Ｂにより光伝送路７−１を介してＳＴＭ−４のフォーマットで光信号が伝送されている。即ち、回線断は生じない。
【００４０】
次に、図６の（Ｃ）に示すように、ＮＥ側とＦＥ側とのタイムスロット交換部３−１Ａ，３−１Ｂのユニットを抜いたスロットに、インタフェース部（ＩＮＦ）３３−１Ａ，３３−１Ｂのユニットを挿入する。それによって、ＨＳシェルフ側のインタフェース部１３−１Ａ，１３−１Ｂとの間が接続される。このインタフェース部（ＩＮＦ）間は、２．４ＧｂｐｓのＳＴＭ−１６にグレードアップした時、６００Ｍｂｐｓの電気信号で接続される。
【００４１】
次に、図６の（Ｄ）に示すように、光伝送路７−１の接続替えを行う。即ち、ＮＥ側のＳＴＭ−４用の現用の送受信部（ＳＴＭ４Ｗ）１−１Ａから、ＳＴＭ−１６用の現用の送受信部（ＳＴＭ１６Ｗ）１１−１Ａに光伝送路７−１を接続替えし、ＦＥ側のＳＴＭ−４用の現用の送受信部（ＳＴＭ４Ｗ）１−１Ｂから、ＳＴＭ−１６用の現用の送受信部（ＳＴＭ１６Ｗ）１１−１Ｂに光伝送路７−１を接続替えする。この場合、現用側の光伝送路の接続替えを先に行うことが必要である。
【００４２】この接続替えにより、ＭＳＰ処理部２Ａ，２Ｂは、現用側の回線断であることにより、切替要因有りとして（図３のステップ（Ａ５）参照）、現用の送受信部１−１Ａ，１−１Ｂから予備の送受信部１−２Ａ，１−２Ｂに切替接続する。従って、予備側の光伝送路７−２を介してＳＴＭ−４のフォーマットによる光信号の伝送が継続される。即ち、回線断は生じない。
先ず、ＭＳＰ処理部（ＭＳＰ）２Ａ，２Ｂにユニット切替要求を行う。例えば、ＮＥ側のＭＳＰ処理部２Ａ，２Ｂに対してユニット切替要求を行う。ＭＳＰ処理部２Ａ，２Ｂのレジスタ（図２のＭＳＰ処理部２２のレジスタ２４参照）にユニット切替情報をセットする（図３に於いては、ステップ（Ａ１），（Ａ２）によるフラグＡ＝“１”として示す）。
【００４３】
次に、図７の（Ｅ）に示すように、ＭＳＰ処理部２Ａに強制切替要求を行う。この強制切替要求により、ＭＳＰ処理部２Ａは、図７の（Ｆ）に示すように、ＦＥ側のＭＳＰ処理部２Ｂに強制切替要求を、例えば、Ｋ１，Ｋ２バイト（図１０のセクションオーバヘッド参照）により転送する。そして、ＭＳＰ処理部２Ａ，２Ｂは、レジスタ（図２のレジスタ２４参照）にユニット切替情報がセットされているから、信号線６Ａ，６Ｂを介してユニット切替処理部４Ａ，４Ｂにユニット切替情報を転送する（図３のステップ（Ａ８），（Ａ９），（Ａ１３），（Ａ１４）参照）。
【００４４】
従って、ユニット切替処理部（ＵＮＩＴＳＷ）４Ａ，４Ｂは、タイムスロット交換部（ＴＳＡ）３−２Ａ，３−２Ｂからインタフェース部（ＩＮＦ）３３−１Ａ，３３−１Ｂへ切替える。この場合のユニット切替処理は、ＭＳＰ処理部２Ａ，２Ｂに於ける切替処理時間とユニット切替処理部４Ａ，４Ｂへの通知処理時間との和に相当する時間を要することになり、その場合のＮＥ側とＦＥ側とのユニット切替時刻の差は、強制切替要求の伝送に要する時間で済むから、殆ど同期した状態でＮＥ側とＦＥ側とに於いてユニットの切替えを実行できることになり、回線断となることはない。
【００４５】
このようなユニット切替えにより、ＮＥ側では、チャネル部５Ａとインタフェース部３３−１Ａとインタフェース部１３−１ＡとＭＳＰ処理部１２Ａと現用の送受信部（ＳＴＭ１６Ｗ）１１−１Ａとの間が接続され、ＦＥ側では、チャネル部５Ｂとインタフェース部３３−１Ｂとインタフェース部１３−１ＢとＭＳＰ処理部１２Ｂと現用の送受信部（ＳＴＭ１６Ｗ）１１−１Ｂとの間が接続され、光伝送路７−１を介して光信号が伝送される。
【００４６】
次に、タイムスロット交換部３−２Ａ，３−２Ｂのユニットを抜く。この時、ユニット切替処理部４Ａ，４Ｂによりチャネル部５Ａ，５Ｂとインタフェース部３３−１Ａ，３３−１Ｂとが接続されているから、タイムスロット交換部３−２Ａ，３−２Ｂのユニットを抜いても影響はない。
【００４７】
次に、図８の（Ｇ）に示すように、インタフェース部（ＩＮＦ）３３−２Ａ，３３−２Ｂのユニットを挿入し、予備の送受信部（ＳＴＭ４Ｐ）１−２Ａ，１−２Ｂから、ＨＳシェルフ側の予備の送受信部（ＳＴＭ１６Ｐ）１１−２Ａ，１１−２Ｂに、光伝送路７−２を接続替えする。そして、ＭＳＰ処理部２Ａ，２Ｂにユニット切替終了要求を行い、ユニット切替情報がセットされたレジスタをクリアする。
【００４８】
前述のユニット交換方法により、インサービス状態で、ＳＴＭ−４（６００Ｍｂｐｓ）から複数シェルフ構成のＳＴＭ−１６（２．４Ｇｂｐｓ）にグレードアップすることが可能となる。同様に、単一シェルフ構成の低伝送速度のＳＤＨ伝送装置から複数シェルフ構成の高伝送速度のＳＤＨ伝送装置に、インサービス状態でグレードアップする為のユニット交換を行うことが可能である。
【００４９】
【発明の効果】
以上説明したように、本発明は、多重化保護処理部２とユニット切替処理部４とに、ユニット切替情報をセットするレジスタを設け、且つ多重化保護処理部２とユニット切替処理部４との間に信号線６を設けたことにより、ユニット交換過程に於けるユニット切替えを、自ＳＤＨ伝送装置（ＮＥ）と相手ＳＤＨ伝送装置（ＦＥ）とに於いて同時に実行することが可能となる。即ち、インサービス状態でグレードアップを容易に行うことができる構成を提供できる。
【００５０】
又低伝送速度のＳＤＨ伝送装置から高伝送速度のＳＤＨ伝送装置に、インサービス状態でグレードアップの為のユニット交換に於いて、多重化保護処理部２にユニット切替要求を行ってレジスタにユニット切替情報をセットし、ユニット交換過程に於いて強制切替要求によって、ユニット切替情報を信号線６を介してユニット切替処理部４に転送し、自ＳＤＨ伝送装置と相手ＳＤＨ伝送装置とに於いて同時にユニット切替えを実行することができる。従って、回線断を生じることなく、ユニット交換を行うことができる利点がある。
【図面の簡単な説明】
【図１】本発明の原理説明図である。
【図２】本発明の実施例の要部説明図である。
【図３】本発明の実施例のＭＳＰ処理部の動作フローチャートである。
【図４】本発明の実施例のユニット切替処理部の動作フローチャートである。
【図５】本発明の実施例のユニット交換方法の説明図である。
【図６】本発明の実施例のユニット交換方法の説明図である。
【図７】本発明の実施例のユニット交換方法の説明図である。
【図８】本発明の実施例のユニット交換方法の説明図である。
【図９】ＳＤＨ伝送装置の説明図である。
【図１０】ＳＴＭ−１セクションオーバヘッド説明図である。
【図１１】従来例のＭＳＰ処理部の動作フローチャートである。
【図１２】従来例のユニット切替処理部の動作フローチャートである。
【図１３】ＳＴＭ−１からＳＴＭ−４へのグレードアップの説明図である。
【図１４】ＳＴＭ−１からＳＴＭ−４へのグレードアップの説明図である。
【図１５】ＳＴＭ−１からＳＴＭ−４へのグレードアップの説明図である。
【図１６】ＳＴＭ−１からＳＴＭ−４へのグレードアップの説明図である。
【図１７】ＳＴＭ−１からＳＴＭ−４へのグレードアップの説明図である。
【図１８】従来例のＳＴＭ−４からＳＴＭ−１６へのグレードアップの説明図である。
【図１９】従来例のＳＴＭ−４からＳＴＭ−１６へのグレードアップの説明図である。
【符号の説明】
１−１  現用の送受信部（ＳＴＭ４Ｗ）
１−２  予備の送受信部（ＳＴＭ４Ｐ）
２  ＭＳＰ処理部（ＭＳＰ）
３  タイムスロット交換部（ＴＳＡ）
４  ユニット切替処理部（ＵＮＩＴＳＷ）
５  チャネル部（Ｄ１ＣＨ）
６  信号線
７−１，７−２  光伝送路
１１−１  現用の送受信部（ＳＴＭ１６Ｗ）
１１−２  予備の送受信部（ＳＴＭ１６Ｐ）
１２  ＭＳＰ処理部（ＭＳＰ）
１３  インタフェース部（ＩＮＦ）
【図１】
0003561848.tif 000002
【図２】
0003561848.tif 000003
【図３】
0003561848.tif 000004
【図４】
0003561848.tif 000005
【図５】
0003561848.tif 000006
【図６】
0003561848.tif 000007
【図７】
0003561848.tif 000008
【図８】
0003561848.tif 000009
【図９】
0003561848.tif 000010
【図１０】
0003561848.tif 000011
【図１１】
0003561848.tif 000012
【図１２】
0003561848.tif 000013
【図１３】
0003561848.tif 000014
【図１４】
0003561848.tif 000015
【図１５】
0003561848.tif 000016
【図１６】
0003561848.tif 000017
【図１７】
0003561848.tif 000018
【図１８】
0003561848.tif 000019
【図１９】
0003561848.tif 000020